(57)【要約】  入出力電極の実装基板の信号線への接続形態を複数確保し、カバーを用いずに上面側の外導体をアース電位に落とした誘電体フィルタの提供を図る。誘電体ブロック（２）は略直方体形状であり、下面で実装基板に実装される。内導体（５Ａ〜５Ｃ）は、誘電体ブロック（２）の正面を開放端として内導体形成孔の内面に形成されている。入出力電極（４Ａ，４Ｂ）は誘電体ブロック（２）の下面に設けられていて、誘電体ブロック（２）の側面と下面との境界から、誘電体ブロック（２）の正面と下面との境界にかけて延設されている。外導体（３）は、下面電極隅部（３１Ａ．３１Ｂ）と下面電極主部（３２）とを含み、実装面で接地される。下面電極隅部（３１Ａ．３１Ｂ）は、誘電体ブロック（２）の下面の、誘電体ブロック（２）の正面と側面とのなす隅に設けられている。
2009013929.tif 000002
【特許請求の範囲】
【請求項１】
下面を実装面として実装基板に実装される略直方体形状の誘電体ブロックと、
前記誘電体ブロックの外面に形成され、前記実装面で接地される外導体と、
前記誘電体ブロックの正面を開放端として、前記誘電体ブロックを貫通する内導体形成孔の内面に形成された内導体と、
前記外導体から分離され、前記内導体に結合する入出力電極と、を備え、
前記入出力電極は、前記誘電体ブロックの下面の、前記誘電体ブロックの側面と下面との境界から、前記誘電体ブロックの正面と下面との境界にかけて延設された下面入出力電極部を含み、
前記外導体は、前記誘電体ブロックの下面の、前記誘電体ブロックの正面と側面とのなす隅に設けられた下面電極隅部と、前記誘電体ブロックの下面に、前記下面電極隅部との間に前記下面入出力電極部を隔てて設けられた下面電極主部と、を含む誘電体フィルタ。
【請求項２】
前記外導体は、前記誘電体ブロックの正面に、前記誘電体ブロックの下面と正面との境界から、前記誘電体ブロックの上面と正面との境界にかけて、前記誘電体基板の側面に沿って延設された正面電極部を含む請求項１に記載の誘電体フィルタ。
【請求項３】
前記内導体は複数隣接し、
前記誘電体ブロックの正面に、各内導体の開放端に接続されて隣接する内導体の開放端間に相互容量を生じさせる結合電極を備える請求項１または２に記載の誘電体フィルタ。
【請求項４】
入出力段の共振器を構成する前記結合電極は、前記下面入出力電極部にも接続される請求項１〜３のいずれかに記載の誘電体フィルタ。
【請求項５】
前記誘電体ブロックの正面に、両端が前記外導体に接続された正面帯状電極を備える請求項１〜４のいずれかに記載の誘電体フィルタ。
【発明の詳細な説明】
【技術分野】
【０００１】
この発明は、誘電体ブロックの外面に外導体を形成し、内導体形成孔に内導体を形成し、外面の一部に内導体と結合する入出力端子を形成した誘電体フィルタに関するものである。
【背景技術】
【０００２】
従来から誘電体ブロックに内導体および外導体を形成して共振器を構成した誘電体フィルタが普及している（例えば、特許文献１参照。）。【０００３】
図１は、従来の誘電体フィルタを実装基板に実装する状況を上面側から見た斜視図である。ここでは、図中の誘電体フィルタの左手前面を正面、図中の右手前面を右側面と称する。同図（Ａ）は実装基板２０１への実装状況を説明する図であり、同図（Ｂ）は、実装基板３０１への実装状況を説明する図である。【０００４】
誘電体フィルタ１０１は誘電体ブロック１０２を備える。誘電体ブロック１０２は直方体形状であり、３段の共振器を備える。誘電体ブロック１０２の開放面である正面を除く外面には、外導体１０３と入出力電極１０４Ａ，１０４Ｂとを設けている。誘電体ブロック１０２の正面から背面にかけて、誘電体ブロック１０２の内部を貫通する内導体形成孔を設けている。内導体形成孔の内面には、内導体１０５Ａ〜１０５Ｃを設けている。内導体１０５Ａ〜１０５Ｃは、誘電体ブロック１０２の正面で一端が開放され、誘電体ブロック１０２の背面で他端が外導体１０３に接続されている。誘電体フィルタ１０１は、内導体１０５Ａの構成する入力段（出力段）の共振器と入出力電極１０４Ａとの間、および、内導体１０５Ｃの構成する出力段（入力段）の共振器と入出力電極１０４Ｂとの間に大きな外部結合を得るため、入出力電極１０４Ａ，１０４Ｂを共振器の開放端付近に設けている。具体的には、誘電体ブロック１０２の下面における正面および左側面のなす隅から左側面にかけて入出力電極１０４Ａを形成し、正面および右側面のなす隅から右側面にかけて入出力電極１０４Ｂを形成している。【０００５】
誘電体フィルタ１０１を実装基板へ実装する際には、誘電体ブロック１０２の下面で、外導体１０３が実装基板の接地電極に接続される。また誘電体ブロック１０２の下面で、入出力電極１０４Ａ，１０４Ｂが実装基板の信号線へ接続される。【０００６】
同図（Ａ）に示す実装基板２０１は、コプレーナ型の信号線２０３Ａ，２０３Ｂを備えている。信号線２０３Ａ，２０３Ｂは互いに並行するように延設されている。この実装基板２０１上には、誘電体フィルタ１０１が配置される。誘電体フィルタ１０１は、その正面が信号線２０３Ａ，２０３Ｂの延設方向に対して垂直になるように配置される。そして、入出力電極１０４Ａ，１０４Ｂの正面側から、信号線２０３Ａ，２０３Ｂが接続される。【０００７】
同図（Ｂ）に示す実装基板３０１は、コプレーナ型の信号線３０３Ａ，３０３Ｂを備えている。信号線３０３Ａ，３０３Ｂは同一直線上に配置されていて、それぞれの先端が一定の間隔だけ離れるように配置されている。この実装基板３０１上には、誘電体フィルタ１０１が配置される。誘電体フィルタ１０１は、その右側面および左側面が信号線３０３Ａ，３０３Ｂの延設方向に対して垂直になるように配置される。そして、入出力電極１０４Ａ，１０４Ｂの側面側から、信号線３０３Ａ，３０３Ｂが接続される。
【特許文献１】特開２０００−１７４５０２号公報
【発明の開示】
【発明が解決しようとする課題】
【０００８】
上記した誘電体フィルタでは、実装基板の接地電極がアース電位であるため、誘電体ブロックの側面の外導体や上面の外導体にはアース電流が流れ、誘電体ブロックの外導体の電位がアース電位と略一致することになる。【０００９】
しかしながら実際には、誘電体フィルタの対象とする高周波信号の波長と同程度の距離だけ、接地電極から離れてしまう部位が外導体に存在するため、外導体の一部が高周波的にアース電位から浮いてしまうことがある。上述の構成の誘電体フィルタでは、誘電体ブロックの下面および側面の正面（開放面）側に入出力電極を設けているため、誘電体ブロック側面の入出力電極上方の外導体が高周波的にアース電位から浮き上がり易く、誘電体ブロック上面の外導体も高周波的にアース電位から浮きあがり易い。【００１０】
このような、外導体の上面における高周波的なアース電位からの浮きあがりを抑制する対策として、開放面にカバーをつけて上面側の外導体を接地電極に短絡させることがあった。この場合、カバーを取り付けることによる工程数の増加や、実装面積の増大などの問題があった。【００１１】
本発明の目的は、実装基板の信号線への入出力電極の接続形態を複数確保し、かつ、カバーを用いずに、上面側の外導体におけるアース電位からの高周波的な浮き上がりを抑制できる誘電体フィルタを提供することにある。
【課題を解決するための手段】
【００１２】
本発明の誘電体フィルタは、誘電体ブロックと外導体と内導体と入出力電極とを備える。誘電体ブロックは略直方体形状であり、下面を実装面として実装基板に実装される。外導体は、誘電体ブロックの外面に形成され、実装面で接地される。内導体は、誘電体ブロックの正面を開放端として、内導体形成孔の内面に形成されている。内導体形成孔は、誘電体ブロックを貫通する。入出力電極は、外導体から分離され、内導体に結合する。また、入出力電極は下面入出力電極部を含む。下面入出力電極部は、誘電体ブロックの下面の、誘電体ブロックの側面と下面との境界から、誘電体ブロックの正面と下面との境界にかけて延設されている。また、外導体は、下面電極隅部と下面電極主部とを含む。下面電極隅部は、誘電体ブロックの下面の、誘電体ブロックの正面と側面とのなす隅に設けられている。下面電極主部は、下面電極隅部との間に下面入出力電極部を隔てて誘電体ブロックの下面に設けられている。【００１３】
この構成では、外導体の下面が実装基板の接地電極に接地されると、下面電極隅部と誘電体ブロックの外導体上面との間のアース電流の経路が、下面入出力電極部を迂回することがない。そのため、実装基板の信号線がどのように接続されても、外導体上面のアース電位からの高周波的な浮き上がりを抑制できる。これにより理想的なＴＥＭモードの共振を利用する誘電体フィルタを構成できる。【００１４】
外導体は、正面電極部を含んでもよい。正面電極部は、誘電体ブロックの正面に、誘電体ブロックの下面と正面との境界から、誘電体ブロックの上面と正面との境界にかけて、誘電体基板の側面に沿って延設されたものである。【００１５】
この構成では、誘電体ブロック下面の下面電極隅部が実装基板の接地電極に接地されると、下面電極隅部と誘電体ブロックの外導体上面との間のアース電流が正面電極部付近に集中して流れる。そのため、外導体上面のアース電位からの高周波的な浮き上がりをさらに抑制できる。【００１６】
内導体は複数隣接してもよく、その場合、誘電体ブロックの正面に結合電極を備えてもよい。結合電極は、各内導体の開放端に接続されて隣接する内導体の開放端間に相互容量を生じさせるものである。【００１７】
この構成では、隣接する内導体それぞれの構成する共振器間が容量性結合にバイアスされる。【００１８】
入出力段の共振器を構成する結合電極は、下面入出力電極部にも接続されると好適である。【００１９】
この構成により、入出力段の共振器と入出力電極との間の外部結合が極めて強いものになる。【００２０】
誘電体ブロックの正面に正面帯状電極を備えてもよい。正面帯状電極は、両端が外導体に接続されるものである。【００２１】
この構成により、誘電体ブロックの上面の外導体と誘電体ブロックの実装面の外導体との間のアース電流の経路が、帯状電極部を経由することが可能になり、上面側の外導体のアース電位からの高周波的な浮き上がりを抑制できる。また、隣接する内導体の開放端間を、帯状電極部が通過する場合には、これらの内導体の開放端と帯状電極部との間に容量が生じるので、これらの内導体それぞれの構成する共振器間が誘導性結合にバイアスされる。
【発明の効果】
【００２２】
この発明の誘電体フィルタによれば、アース電流の経路が下面入出力電極部を迂回すること無く、アース電流の経路長を短縮化できる。したがって、入出力電極への信号線の接続形態を複数確保しながら、カバーを用いずに上面側の外導体のアース電位からの高周波的な浮き上がりを抑制できる。これにより、理想的なＴＥＭモードの共振を利用する誘電体フィルタを構成できる。
【図面の簡単な説明】
【００２３】
【図１】従来の誘電体フィルタの斜視図である。
【図２】誘電体フィルタの構成例を示す展開図である。
【図３】同誘電体フィルタを実装基板に実装する状況の斜視図である。
【図４】同誘電体フィルタのフィルタ特性を示すグラフである。
【図５】誘電体フィルタの他の構成例を説明する図である。
【図６】誘電体フィルタの他の構成例を説明する図である。
【図７】誘電体フィルタの他の構成例を説明する図である。
【符号の説明】
【００２４】
１，１１，１２，１３…誘電体フィルタ
２…誘電体ブロック
３…外導体
３１Ａ，３１Ｂ…下面電極隅部
３２…下面電極主部
３３Ａ，３３Ｂ…矩形状の正面電極部
３４…正面帯状電極
４Ａ，４Ｂ…入出力電極
４１Ａ，４１Ｂ…下面入出力電極部
４２Ａ，４２Ｂ…側面入出力電極部
４３Ａ，４３Ｂ…正面入出力電極部
５Ａ，５Ｂ，５Ｃ…内導体
５１Ａ…正面開放電極部
５２Ａ，５２Ｂ，５２Ｃ…正面開放電極部
５３Ａ，５３Ｂ，５３Ｃ…正面開放電極部
２０１，３０１…実装基板
２０２，３０２…接地電極
２０３Ａ，２０３Ｂ，３０３Ａ，３０３Ｂ…信号線
【発明を実施するための最良の形態】
【００２５】
以下、誘電体フィルタの構成例を説明する。【００２６】
図２は、誘電体フィルタ１の展開図である。同図（Ａ）は、同フィルタの正面図であり、同図（Ｂ）は、同フィルタの下面図であり、同図（Ｃ）は、同フィルタの左側面図である。【００２７】
誘電体フィルタ１は、誘電体ブロック２を備えている。誘電体ブロック２は比誘電率が２０の誘電体材料により組成された、左側面−右側面間の寸法が約５ｍｍ、上面−下面間の寸法が約２ｍｍ、正面−背面間の寸法が約４ｍｍの直方体形状のブロックである。なお、誘電体ブロック２の素材や寸法については、上記した以外のものを採用しても良い。【００２８】
誘電体ブロック２には正面から背面にかけて、誘電体ブロック２の内部を貫通する３つの内導体形成孔が設けられている。これらの内導体形成孔は、互いに平行であり、それぞれ直径が約１ｍｍのストレート構造である。なお、各内導体形成孔は、誘電体ブロック２の内部で孔径が段階的に変化するステップ構造としてよく、誘電体ブロック２内部で軸心がずれる異軸構造としてもよい。上記した内導体形成孔の数や構造についても、上記した以外のものを採用しても良い。【００２９】
誘電体ブロック２の内導体形成孔の内面には、内導体５Ａ〜５Ｃを設けている。内導体５Ａ〜５Ｃは、誘電体ブロック２正面で一端が開放され、誘電体ブロック２背面で他端が外導体３に接続されている。したがって、誘電体ブロック２は３段の１／４波長共振器を備え、誘電体ブロック２正面が共振器の開放面となり、誘電体ブロック２背面が共振器の短絡面となる。【００３０】
誘電体ブロック２外面には、外導体３と入出力電極４Ａ，４Ｂとを設けている。【００３１】
誘電体ブロック２の図示しない背面は、その全面が外導体３により覆われている。また、誘電体ブロック２の図示しない上面も、その全面が外導体３により覆われている。【００３２】
同図（Ａ）に示すように、誘電体ブロック２正面には、レーザ加工により外導体３を部分的に除去した矩形状の電極非形成領域６１を設けている。電極非形成領域６１は、内導体５Ａ〜５Ｃの端部を領域内に含む領域である。電極非形成領域６１は、誘電体ブロック２正面における右側面側および左側面側の端を除く、誘電体ブロック２正面の中央付近に上面側の端から下面側の端まで形成されている。誘電体ブロック２正面の右側面側および左側面側の端の領域には、外導体３の一部を残存させて、矩形状の正面電極部３３Ａ，３３Ｂを構成している。【００３３】
正面電極部３３Ａは、誘電体ブロック２の下面と正面との境界から、誘電体ブロック２の上面と正面との境界にかけて、誘電体ブロック２の左側面に沿って延設されている。正面電極部３３Ｂは、誘電体ブロック２の下面と正面との境界から、誘電体ブロック２の上面と正面との境界にかけて、誘電体ブロック２の右側面に沿って延設されている。【００３４】
同図（Ｃ）に示すように、誘電体ブロック２の左側面には、レーザ加工により外導体３を部分的に除去して矩形状の電極非形成領域６２を設けている。電極非形成領域６２は、誘電体ブロック２の下面側の端に沿って形成されていて、誘電体ブロック２の正面側の端から所定距離だけ隔てられた位置から背面側の略中央付近まで形成されている。なお、誘電体ブロック２の図示しない右側面には、誘電体ブロック２の左側面と対称な電極パターンとなるように、レーザ加工により外導体３を部分的に除去して矩形状の電極非形成領域６３（不図示）を設けている。【００３５】
同図（Ｂ）に示すように、誘電体ブロック２の下面には、レーザ加工により外導体３を部分的に除去して、それぞれ屈曲形状の電極非形成領域６４Ａ〜６４Ｄを設けている。これにより、誘電体ブロック２の下面に、入出力電極４Ａ，４Ｂと、下面電極隅部３１Ａ，３１Ｂと、下面電極主部３２と、を設けている。【００３６】
入出力電極４Ａ，４Ｂは、本発明の下面入出力電極部に相当する。入出力電極４Ａは、誘電体ブロック２の下面の、誘電体ブロック２の左側面と下面との境界から、誘電体ブロック２の正面と下面との境界にかけて屈曲するように設けられている。この入出力電極４Ａは、誘電体ブロック２の左側面の電極非形成領域６２および誘電体ブロック２正面の電極非形成領域６１ならびに電極非形成領域６４Ａ，６４Ｂにより周囲を囲まれている。入出力電極４Ｂは、誘電体ブロック２の下面の、誘電体ブロック２の右側面と下面との境界から、誘電体ブロック２の正面と下面との境界にかけて屈曲するように設けられている。この入出力電極４Ｂは、誘電体ブロック２の右側面の電極非形成領域６３および誘電体ブロック２正面の電極非形成領域６１ならびに電極非形成領域６４Ｃ，６４Ｄにより周囲を囲まれている。【００３７】
下面電極隅部３１Ａ，３１Ｂと、下面電極主部３２とは外導体３の一部を構成する。下面電極隅部３１Ａは誘電体ブロック２の下面の、誘電体ブロック２の正面と左側面とのなす隅に設けられている。この下面電極隅部３１Ａは、誘電体ブロック２正面の正面電極部３３Ａおよび誘電体ブロック２左側面の外導体３に導通する。下面電極隅部３１Ｂは誘電体ブロック２の下面の、誘電体ブロック２の正面と右側面とのなす隅に設けられている。この下面電極隅部３１Ｂは、誘電体ブロック２正面の正面電極部３３Ｂおよび誘電体ブロック２右側面の外導体３に導通する。下面電極主部３２は、誘電体ブロック２下面に設けられていて、入出力電極４Ａ，４Ｂを介して下面電極隅部３１Ａ，３１Ｂから隔てられている。【００３８】
この構成では、誘電体フィルタ１は、誘電体ブロック２の実装面である下面で、後述する実装基板（２０１，３０１）上に載置され、外導体３を構成する下面電極隅部３１Ａ，３１Ｂと下面電極主部３２とが、実装基板の接地電極に接続され、入出力電極４Ａ，４Ｂが、実装基板の信号線に接続される。これにより、誘電体フィルタ１は３段の共振器のＴＥＭモードの共振を利用したフィルタとなる。【００３９】
入出力電極４Ａ，４Ｂが入出力段の共振器の開放端付近に設けられているため、誘電体フィルタ１では、内導体５Ａの構成する入力段（または出力段）の共振器と入出力電極４Ａとの間、および、内導体５Ｃの構成する出力段（または入力段）の共振器と入出力電極４Ｂとの間に大きな外部結合が得られる。【００４０】
誘電体ブロック２下面の下面電極隅部３１Ａ，３１Ｂが、実装基板の接地電極に接地されると、下面電極隅部３１Ａ，３１Ｂと誘電体ブロックの上面の外導体３との間にアース電流が流れることになる。このアース電流は、入出力電極４Ａ，４Ｂを迂回することなく、正面電極部３３Ａ，３３Ｂ付近を集中して流れることになり、下面電極隅部３１Ａ，３１Ｂから誘電体ブロック２天面の外導体まで、略直線状の経路をアース電流が流れることになる。そのため、上面側の外導体３のアース電位からの高周波的な浮き上がりを抑制できる。【００４１】
次に、本構成例の誘電体フィルタ１の実装基板への実装状態を説明する。図３は、誘電体フィルタ１を実装基板に実装する状況を上面側からみた斜視図である。ここでは、図中の誘電体フィルタ１の左手前面を正面、図中の右手前面を右側面と称する。【００４２】
同図（Ａ）は、誘電体フィルタ１を実装基板２０１に実装する状況を上面側から見た斜視図である。外導体３は誘電体ブロック２の実装面である下面で、実装基板２０１の接地電極２０２に接続され、入出力電極４Ａ，４Ｂは、実装基板２０１の信号線２０３Ａ，２０３Ｂに接続される。【００４３】
実装基板２０１は、コプレーナ型の信号線２０３Ａ，２０３Ｂを備えている。信号線２０３Ａ，２０３Ｂは互いに並行するように延設されている。誘電体フィルタ１は、その正面が信号線２０３Ａ，２０３Ｂの延設方向に対して垂直になるように、実装基板２０１上に配置され、入出力電極４Ａ，４Ｂの正面側から延設された信号線２０３Ａ，２０３Ｂが、入出力電極４Ａ，４Ｂに接続される。【００４４】
同図（Ｂ）は、誘電体フィルタ１を実装基板３０１に実装する状況を上面側から見た斜視図である。外導体３は誘電体ブロック２の実装面である下面で、実装基板３０１の接地電極３０２に接続され、入出力電極４Ａ，４Ｂは、実装基板３０１の信号線３０３Ａ，３０３Ｂに接続される。【００４５】
実装基板３０１は、コプレーナ型の信号線３０３Ａ，３０３Ｂを備えている。信号線３０３Ａ，３０３Ｂは同一直線上に配置されていて、それぞれの先端が一定の間隔だけ離れるように配置されている。誘電体フィルタ１は、その右側面および左側面が信号線３０３Ａ，３０３Ｂの延設方向に対して垂直になるように、実装基板３０１上に配置され、入出力電極４Ａ，４Ｂの側面側から延設された信号線３０３Ａ，３０３Ｂが、入出力電極４Ａ，４Ｂに接続される。【００４６】
このように、誘電体フィルタ１は、複数の方向から実装基板の信号線を接続でき、実装基板の信号線が、正面側から入出力電極４Ａ，４Ｂに接続されようと、側面側から入出力電極４Ａ，４Ｂに接続されようと、どちらの場合であっても、上面側の外導体３のアース電位からの高周波的な浮き上がりを抑制できる。【００４７】
次に、誘電体フィルタ１の通過特性について説明する。図４は、シミュレーションによる誘電体フィルタ１の通過特性Ｓ２１を示す図である。図中の実線が本構成例を示し、図中の破線が下面電極隅部を設けない比較対象例を示す。【００４８】
ここで示す誘電体フィルタそれぞれは、周波数３３００ＭＨｚ〜３６００ＭＨｚにかけて信号を通過させる、ＴＥＭモードを利用したＢＰＦ（バンドパスフィルタ）である。各誘電体フィルタの３段の共振器は、隣接する共振器間で互いに容量性結合し、帯域の低域側に急峻にたち下がる２つの減衰極を有する帯域特性が得られる。【００４９】
本構成例でのＳ２１波形は、ＢＰＦに利用するＴＥＭモードによる共振周波数が周波数３４５０ＭＨｚ付近に位置し、周波数３３００ＭＨｚ〜３６００ＭＨｚ付近に通過帯域を有する。また、通過帯域の低域側に、周波数が２７００ＭＨｚ付近で減衰量が約−７８ｄＢの減衰極と、３２００ＭＨｚ付近で減衰量が約−５２ｄＢの減衰極とを有し、スプリアスモードであるＴＥモードによる共振周波数が周波数７８００ＭＨｚ付近に位置する。【００５０】
一方、比較対象例での共振波形は、ＢＰＦに利用するＴＥＭモードによる共振周波数が周波数３４５０ＭＨｚ付近に位置し、周波数３３００ＭＨｚ〜３６００ＭＨｚ付近に通過帯域を有する点では本構成例と同一である。しかし、通過帯域の低域側に、周波数が３０００ＭＨｚ付近で減衰量が約−６７ｄＢの減衰極と、周波数が３２００ＭＨｚ付近で減衰量が約−５６ｄＢの減衰極とを有する点、および、周波数５８００ＭＨｚ付近にＴＥモードによる共振周波数を有する点で相違する。【００５１】
以上のシミュレーション結果では、比較対象例では、スプリアスな共振モードであるＴＥモードの共振周波数が低下し、ＴＥＭモードの共振周波数に近づいている。そのため、図示する周波数帯（１０００ＭＨｚ〜８０００ＭＨｚ）の略全域にわたって、減衰量が小さくなってしまっていた。一方、本構成例では、ＴＥモードの共振周波数が高いため、図示する周波数帯（１０００ＭＨｚ〜８０００ＭＨｚ）の略全域にわたって、大きな減衰量が得られた。また、本構成例においては比較対象例に比べて減衰量の大きな減衰極が通過帯域低域側に得られ、このことも通過帯域低域側の減衰量を大きく確保するのに寄与した。【００５２】
次に、誘電体フィルタの他の構成例を説明する。【００５３】
図５は、誘電体フィルタ１１の展開図である。本構成例では、上述の構成と同一の構成に、同じ符号を付している。【００５４】
誘電体ブロック２外面には、外導体３と正面入出力電極部４３Ａ，４３Ｂと側面入出力電極部４２Ａ，４２Ｂと下面入出力電極部４１Ａ，４１Ｂと正面開放電極部５１Ａ〜５１Ｃとを設けている。【００５５】
正面入出力電極部４３Ａ，４３Ｂと側面入出力電極部４２Ａ，４２Ｂと下面入出力電極部４１Ａ，４１Ｂとは、入出力電極を構成する。本構成例の入出力電極は、上述の入出力電極４Ａ，４Ｂに比べて、正面入出力電極部４３Ａ，４３Ｂと側面入出力電極部４２Ａ，４２Ｂとの分だけ面積が大きく、これにより本構成例の入出力電極は、大きな外部結合を得ている。【００５６】
また、正面開放電極部５１Ａ〜５１Ｃは、それぞれ内導体５Ａ〜５Ｃに導通し、それぞれ誘電体ブロック２の正面で隣接する。これにより、これらの正面開放電極部５１Ａ〜５１Ｃでは、上述の構成例に比べてより大きな相互結合が得られる。【００５７】
図６は、誘電体フィルタ１２の展開図である。本構成例では、上述の構成と同一の構成に、同じ符号を付している。【００５８】
誘電体ブロック２正面には、レーザ加工により外導体３を部分的に除去した電極非形成領域６１Ａ〜６１Ｃを設けている。電極非形成領域６１Ａ〜６１Ｃそれぞれは、内導体５Ａ〜５Ｃの端部を領域内に含む領域である。電極非形成領域６１Ａ〜６１Ｃは、互いに分離され、その間に正面帯状電極３４を備えている。正面帯状電極３４は外導体３の一部を構成する電極である。正面帯状電極３４は、誘電体ブロック２正面の下面側中央の端から上面側に延設され、２筋に分岐して、正面開放電極部５２Ａ，５２Ｂの間と、正面開放電極部５２Ｂ，５２Ｃの間とを通過し、誘電体ブロック２上面の外導体３に導通する。【００５９】
正面帯状電極３４は、誘電体ブロック２の上面側の外導体３を、下面側の外導体３に短絡させる。これにより、誘電体フィルタ１２の実装時には、上面側の外導体３のアース電位からの高周波的な浮き上がりがさらに抑制される。また、正面開放電極部５２Ａ〜５２Ｃは、それぞれの間に生じる相互容量が抑制され、正面帯状電極３４との間に浮遊容量が付与される。したがって、内導体５Ａ〜５Ｃの構成する共振器間が誘導性結合にバイアスされることになる。【００６０】
このように、正面帯状電極３４を設けると共に、下面電極隅部３１Ａ，３１Ｂを設けているため、誘電体フィルタ１２の実装時に、上面側および側面側の外導体３のアース電位からの高周波的な浮き上がりを、さらに効果的に抑制できる。【００６１】
なお、ここでは、正面帯状電極３４を開放面において、線対称な形状にしている。これにより、正面帯状電極３４に流れるアース電流を対称にでき、上面側の外導体３を、よりアース電位に落とし込みやすくなる。【００６２】
図７は、誘電体フィルタ１３の展開図である。本構成例では、上述の構成と同一の構成に、同じ符号を付している。【００６３】
誘電体ブロック２外面には、本構成例では、正面開放電極部５３Ａ〜５３Ｃが設けられていて、正面開放電極部５３Ａは下面入出力電極部４１Ａに導通し、正面開放電極部５３Ｃは下面入出力電極部４１Ｂに導通する。【００６４】
正面開放電極部５３Ａおよび正面開放電極部５３Ｃにより、側面入出力電極部４２Ａ，４２Ｂと下面入出力電極部４１Ａ，４１Ｂとは、内導体５Ａおよび内導体５Ｃに極めて強く結合し、極めて大きな外部結合が得られる。【００６５】
最後に、上述の構成例の説明は、すべての点で例示であって、制限的なものではないと考えられるべきである。本発明の範囲は、上述の構成例ではなく、特許請求の範囲によって示される。さらに、本発明の範囲には、特許請求の範囲と均等の意味および範囲内でのすべての変更が含まれることが意図される。
【図１】
2009013929.tif 000003
【図２】
2009013929.tif 000004
【図３】
2009013929.tif 000005
【図４】
2009013929.tif 000006
【図５】
2009013929.tif 000007
【図６】
2009013929.tif 000008
【図７】
2009013929.tif 000009
【国際調査報告】
2009013929.tif 000010
2009013929.tif 000011
2009013929.tif 000012
2009013929.tif 000013